(57)【要約】【課題】  蓄電器の蓄電量が小さいとき、放電動作を規制して、蓄電器の蓄電量を予め設定した値以上に保持させ、停電などが発生したとき、蓄電器をバックアップ電源として使用可能にする。【解決手段】  エレベータ制御装置５からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令回路１９から出力される電圧指令を制限して、エレベータ制御装置５の充放電回路２７からエレベータ駆動装置３の直流コンデンサ７に供給される放電電流の電流量を制限して、蓄電器１３に蓄積されている回生電力の消耗を抑制する。【選択図】      図１
2006044887.tif 000002
【特許請求の範囲】
【請求項１】
乗りかごに回生制動をかけたときの回生電力を蓄電器に蓄積し、前記乗りかごを力行運転するとき、前記蓄電器に蓄積されている回生電力を補助的に使用して、前記乗りかごの力行運転を行うエレベータ制御システムにおいて、
前記蓄電器を放電しているとき、放電電流を一時的に増加させたときの放電電圧変化に基づき、前記蓄電器に蓄積されている回生電力量を測定する電圧変化監視回路と、
この電圧変化監視回路の測定結果に基づき、電圧指令の値を制限して、前記蓄電器の放電電流の値を制限する放電量制限部と、
を備えたことを特徴とするエレベータ制御システム。
【請求項２】
請求項１に記載のエレベータ制御システムにおいて、
前記放電量制限部は、前記電圧変化監視回路によって、前記蓄電器の蓄電量が不十分であると判定されているとき、放電電流の値を下げするのに必要な値を持つ電圧指令を出力する電圧指令回路と、この電圧指令回路から出力される電圧指令に基づき、充放電回路を制御して、前記蓄電器の放電量を下げる電圧制御回路と、
を備えたことを特徴とするエレベータ制御システム。
【請求項３】
請求項１に記載のエレベータ制御システムにおいて、
前記放電量制限部は、前記電圧変化監視回路によって、前記蓄電器の蓄電量が不十分であると判定されているとき、電圧指令の値を制限する電圧指令回路と、前記蓄電器の放電量を計測しながら、前記電圧指令回路から出力される電圧指令に基づき、充放電回路を制御して、前記蓄電器の放電量を下げる電圧制御回路と、
を備えたことを特徴とするエレベータ制御システム。
【請求項４】
請求項１に記載のエレベータ制御システムにおいて、
前記放電量制限部は、前記電圧変化監視回路によって、前記蓄電器の蓄電量が不十分であると判定されているとき、電圧指令の値を制限する電圧指令回路と、電圧指令回路から出力される電圧指令と前記蓄電器の放電量の計測結果との差を求める加減算回路と、この加減算回路から出力される電圧差信号に基づき、充放電回路を制御して、前記蓄電器の放電量を下げるチョッパ電流制御回路と、
を備えたことを特徴とするエレベータ制御システム。
【請求項５】
請求項１に記載のエレベータ制御システムにおいて、
前記放電量制限部は、放電電流値規制用の電圧指令を出力する電圧指令回路と、この電圧指令回路から出力される電圧指令と前記蓄電器の放電量計測結果との差を求める加減算回路と、前記電圧変化監視回路によって、前記蓄電器の蓄電量が不十分であると判定されているとき、前記加減算回路から出力される電圧差信号を制限した値に基づき、充放電回路を制御して、前記蓄電器の放電量を下げるチョッパ電流制御回路と、
を備えたことを特徴とするエレベータ制御システム。
【請求項６】
請求項１に記載のエレベータ制御システムにおいて、
前記放電量制限部は、放電電流値規制用の電圧指令を出力する電圧指令回路と、前記電圧変化監視回路によって、前記蓄電器の蓄電量が不十分であると判定されているとき、前記蓄電器の放電量計測結果を参照して、前記電圧指令回路から出力される電圧指令の値を制限する電圧指令値リミット設定回路と、この電圧指令値リミット設定回路から出力される電圧指令に基づき、充放電回路を制御して、前記蓄電器の放電量を制御する電圧制御回路と、
を備えたことを特徴とするエレベータ制御システム。
【請求項７】
請求項４に記載のエレベータ制御システムにおいて、
前記放電量制限部は、前記蓄電器の温度を測定し、この蓄電器の温度が異常になっているとき、前記電圧指令回路から出力される電圧指令の値を制限する温度検出回路、
を備えたことを特徴とするエレベータ制御システム。
【発明の詳細な説明】
【技術分野】
【０００１】
本発明は、建物内に配置され、乗りかごを昇降、停止して乗客を運ぶエレベータ制御システムに係わり、特に乗りかごを昇降、停止する際に得られる電力を回生して、再利用するエレベータ制御システムに関する。
【背景技術】
【０００２】
建物内に配置され、乗りかごを昇降、停止して乗客を運ぶエレベータ制御システムの１つとして、従来、図８に示すシステムが知られている。
【０００３】
この図に示すエレベータ制御システム１０１は、乗りかごの昇降を開始するとき、前回までの回生動作で得られた回生電力を併用しながら、建物内に引き込まれた商用電源１０２の三相電圧を電力変換して、指定された周波数、電圧値を持つ三相電圧を生成するとともに、この三相電圧を電動機１０４に供給して、乗りかごの昇降を開始し、電動機１０４を回生制動して、運動エネルギーを電気エネルギーに変換し、これを回収しながら、指定された階に乗りかごを停止するエレベータ駆動装置１０３と、乗りかご内に設けられた乗りかご内操作盤、各エレベータ乗り場に設けられた各呼び登録装置が操作されて、呼び情報が登録されたとき、前回までの回生動作で得られた回生電力をエレベータ駆動装置１０３に供給しながら、予め登録されている運転パターンなどに基づき、ＰＷＭ指示信号を生成して、エレベータ駆動装置１０３に電動機１０４を駆動し、回生指令を生成して、エレベータ駆動装置１０３に電動機１０４の回生制動を行わせるとともに、回生制動で得られる回生電力を取り込んで、蓄積するエレベータ制御装置１０５とを備えている。
【０００４】
そして、乗りかご内に設けられた乗りかご内操作盤、各エレベータ乗り場に設けられた各呼び登録装置が操作されて、呼び情報が登録されたとき、エレベータ制御装置１０５に蓄積されている、前回までの回生動作で得られた回生電力をエレベータ駆動装置１０３に供給しながら、予め登録されている運転パターンなどに基づき、エレベータ駆動装置１０３から、指定された周波数、電圧値を持つ三相電圧を出力して電動機１０４に供給する。そして、乗りかごが目的階に近づいたとき、予め登録されている運転パターンなどに基づき、エレベータ駆動装置１０３に電動機１０４の回生制動を開始し、回生制動で得られる回生電力をエレベータ制御装置１０５に蓄積しながら、乗りかごを目的階に停止する。
【０００５】
エレベータ駆動装置１０３は、建物内に引き込まれた商用電源１０２から供給される三相電圧を整流して直流電圧を生成する整流回路１０６と、整流回路１０６から出力される直流電圧を平滑して、蓄積する直流コンデンサ１０７と、抵抗器１０８、スイッチング素子１０９、ダイオード１１０などによって構成され、直流コンデンサ１０７に蓄積されている直流電圧をチョッピングして、電圧値を調整する抵抗チョッパ回路１１１と、エレベータ制御装置１０５からＰＷＭ指示信号が供給されているとき、抵抗チョッパ回路１１１と協調して、直流コンデンサ１０７に蓄積されている直流電圧を指定された周波数、電圧値を持つ三相電圧に変換して、電動機１０４を駆動し、またエレベータ制御装置１０５から回生指令が供給されているとき、電動機１０４を回生動作して、回生電力を直流コンデンサ１０７に蓄積するインバータ回路１１２とを備えており、建物内に引き込まれた商用電源１０２から出力される三相電圧を整流して、直流コンデンサ１０７に直流電圧を蓄積しながら、エレベータ制御装置１０５からＰＷＭ指示信号が供給されているとき、抵抗チョッパ回路１１１と、インバータ回路１１２と協調動作して、直流コンデンサ１０７に蓄積されている直流電圧を指定された周波数、電圧値を持つ三相電圧に変換して、電動機１０４を駆動する。また、エレベータ制御装置１０５から回生指令が供給されているとき、インバータ回路１１２を動作して、電動機１０４を回生制動するとともに、回生動作で得られた回生電力を直流コンデンサ１０７に蓄積する。
【０００６】
エレベータ制御装置１０５は、回生電力を貯蔵する蓄電器１１３と、蓄電器１１３の電圧を検出して蓄電電圧値検出信号を出力する蓄電器電圧検出回路１１４と、蓄電器電圧検出回路１１４から出力される蓄電電圧値検出信号、予め設定されている設定電圧値などに基づき、電圧指令を出力する電圧指令回路１１５と、エレベータ駆動装置１０３の直流コンデンサ１０７に蓄積されている直流電圧の電圧値を検出して、電圧値検出信号を出力する電圧検出回路１１６と、電圧検出回路１１６から出力される電圧値検出信号の値と電圧指令回路１１５から出力される電圧指令の値とを比較して、電圧差信号を出力する加減算回路１１７と、乗りかご内に設けられた乗りかご内操作盤、各エレベータ乗り場に設けられた各呼び登録装置が操作されて呼び情報が登録されたとき、加減算回路１１７から出力される電圧差信号に応じた放電指令を出力しながら、予め登録されている運転パターンなどに基づき、ＰＷＭ指示信号を生成して、エレベータ駆動装置１０３の抵抗チョッパ回路１１１、インバータ回路１１２を動作させ、指定された周波数、電圧値を持つ三相電圧を生成し、また乗りかごが目的階に近づいたとき、充電指令を出力しながら、予め登録されている運転パターンなどに基づき、回生指令を生成して、抵抗チョッパ回路１１１、インバータ回路１１２に、乗りかご、電動機１０４などが持つ運動エネルギーを電力エネルギーに変換する電圧制御回路１１８とを備えている。
【０００７】
さらに、エレベータ制御装置１０５は、蓄電器１１３に対する充放電路となる昇圧用の直流リアクトル１１９と、２つの自己消弧素子１２０、１２１、２つのダイオード１２２、１２３によって構成され、電圧制御回路１１８から充電指令が出力されているとき、一方の自己消弧素子１２０を導通させ、エレベータ駆動装置１０３の直流コンデンサ１０７→自己消弧素子１２０→直流リアクトル１１９→蓄電器１１３なる経路で、回生電圧を蓄電器１１３に供給して、これを充電し、また電圧制御回路１１８から放電指令が出力されているとき、他方の自己消弧素子１２１を繰り返し、導通→非導通→導通→…して、蓄電器１１３に蓄積している直流電圧を直流リアクトル１１９に印加するとともに、直流リアクトル１１９に誘起された誘導起電圧で、エレベータ駆動装置１０３の直流コンデンサ１０７を充電する充放電回路１２４とを備えている。
【０００８】
そして、乗りかご内に設けられた乗りかご内操作盤、各エレベータ乗り場に設けられた各呼び登録装置が操作されて、呼び情報が登録され、乗りかごの昇降を開始するとき、予め登録されている運転パターンなどに基づき、ＰＷＭ指示信号を生成して、エレベータ駆動装置１０３のインバータ回路１１２から指定された周波数、電圧値を持つ三相電圧を出力する。
【０００９】
また、この動作と並行し、エレベータ駆動装置１０３に電動機１０４を駆動するとき、あるいは停電などが発生したとき、放電指令を生成して、充放電回路１２４の自己消弧素子１２１を繰り返し、導通、非導通して、蓄電器１１３から直流リアクトル１１９に断続電流を流しながら、直流リアクトル１１９に誘起された誘導起電圧をエレベータ駆動装置１０３の直流コンデンサ１０７に供給して、これを充電する。
【００１０】
また、乗りかごが目的階に近づいたとき、予め登録されている運転パターンなどに基づき、回生指令を生成して、インバータ回路１１２に回生動作を行わせ、乗りかご、電動機１０４などが持つ運動エネルギーを電力エネルギーに変換して、回収しながら、乗りかごを減速、停止する。
【００１１】
そして、エレベータ駆動装置１０３に回生制動動作を行わせている状態で、回生動作で得られた回生電力により、直流コンデンサ１０７に蓄積されている直流電圧の電圧値が整流回路１０６から出力される直流電圧の電圧値より高くなり、抵抗チョッパ回路１１１の動作電圧に近づいたとき、充電指令を生成して、充放電回路１２４の自己消弧素子１２０を導通させ、蓄電器１１３を充電する。
【特許文献１】特開２００２−１４５５３９公報
【発明の開示】
【発明が解決しようとする課題】
【００１２】
ところで、このような従来のエレベータ制御システム１０１では、エレベータ駆動装置１０３に電動機１０４を駆動するとき、蓄電器１１３の蓄電量にかかわらず、蓄電器１１３からエレベータ駆動装置１０３に回生電力を供給するようにしているので、停電が発生して、蓄電器１１３をバックアップ電源として使用するようとしたとき、蓄電器１１３の蓄電量が小さすぎて、乗りかごの救出運転を行うことができないことがあった。
【００１３】
本発明は上記の事情に鑑み、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができるエレベータ制御システムを提供することを目的としている。
【課題を解決するための手段】
【００１４】
上記の目的を達成するために本発明は、請求項１では、乗りかごに回生制動をかけたときの回生電力を蓄電器に蓄積し、前記乗りかごを力行運転するとき、前記蓄電器に蓄積されている回生電力を補助的に使用して、前記乗りかごの力行運転を行うエレベータ制御システムにおいて、前記蓄電器を放電しているとき、放電電流を一時的に増加したときの放電電圧変化に基づき、前記蓄電器に蓄積されている回生電力量を測定する電圧変化監視回路と、この電圧変化監視回路の測定結果に基づき、電圧指令の値を制限して、前記蓄電器の放電電流の値を制限する放電量制限部とを備えたことを特徴としている。
【００１５】
また、請求項２では、請求項１に記載のエレベータ制御システムにおいて、前記放電量制限部は、前記電圧変化監視回路によって、前記蓄電器の蓄電量が不十分であると判定されているとき、放電電流の値を下げするのに必要な値を持つ電圧指令を出力する電圧指令回路と、この電圧指令回路から出力される電圧指令に基づき、充放電回路を制御して、前記蓄電器の放電量を下げる電圧制御回路とを備えたことを特徴としている。
【００１６】
また、請求項３では、請求項１に記載のエレベータ制御システムにおいて、前記放電量制限部は、前記電圧変化監視回路によって、前記蓄電器の蓄電量が不十分であると判定されているとき、電圧指令の値を制限する電圧指令回路と、前記蓄電器の放電量を計測しながら、前記電圧指令回路から出力される電圧指令に基づき、充放電回路を制御して、前記蓄電器の放電量を下げる電圧制御回路とを備えたことを特徴としている。
【００１７】
また、請求項４では、請求項１に記載のエレベータ制御システムにおいて、前記放電量制限部は、前記電圧変化監視回路によって、前記蓄電器の蓄電量が不十分であると判定されているとき、電圧指令の値を制限する電圧指令回路と、電圧指令回路から出力される電圧指令と前記蓄電器の放電量の計測結果との差を求める加減算回路と、この加減算回路から出力される電圧差信号に基づき、充放電回路を制御して、前記蓄電器の放電量を下げるチョッパ電流制御回路とを備えたことを特徴としている。
【００１８】
また、請求項５では、請求項１に記載のエレベータ制御システムにおいて、前記放電量制限部は、放電電流値規制用の電圧指令を出力する電圧指令回路と、この電圧指令回路から出力される電圧指令と前記蓄電器の放電量計測結果との差を求める加減算回路と、前記電圧変化監視回路によって、前記蓄電器の蓄電量が不十分であると判定されているとき、前記加減算回路から出力される電圧差信号を制限した値に基づき、充放電回路を制御して、前記蓄電器の放電量を下げるチョッパ電流制御回路とを備えたことを特徴としている。
【００１９】
また、請求項６では、請求項１に記載のエレベータ制御システムにおいて、前記放電量制限部は、放電電流値規制用の電圧指令を出力する電圧指令回路と、前記電圧変化監視回路によって、前記蓄電器の蓄電量が不十分であると判定されているとき、前記蓄電器の放電量計測結果を参照して、前記電圧指令回路から出力される電圧指令の値を制限する電圧指令値リミット設定回路と、この電圧指令値リミット設定回路から出力される電圧指令に基づき、充放電回路を制御して、前記蓄電器の放電量を制御する電圧制御回路とを備えたことを特徴としている。
【００２０】
また、請求項７では、請求項４に記載のエレベータ制御システムにおいて、前記放電量制限部は、前記蓄電器の温度を測定し、この蓄電器の温度が異常になっているとき、前記電圧指令回路から出力される電圧指令の値を制限する温度検出回路を備えたことを特徴としている。
【発明の効果】
【００２１】
本発明によれば、請求項１のエレベータ制御システムでは、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２２】
また、請求項２のエレベータ制御システムでは、従来のエレベータ制御システムに対し、電圧変化監視回路と、電流検出回路とを追加し、電圧制御回路の動作などを一部変更するだけの簡単な変更を行わせるだけで、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２３】
また、請求項３のエレベータ制御システムでは、従来のエレベータ制御システムに対し、電圧変化監視回路と、電流検出回路とを追加し、電圧制御回路の動作などを一部変更するだけの簡単な変更を行わせるだけで、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２４】
また、請求項４のエレベータ制御システムでは、従来のエレベータ制御システムに対し、電圧変化監視回路と、電流検出回路と、加減算回路とを追加し、チョッパ電流制御回路の動作などを一部変更するだけの簡単な変更を行わせるだけで、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２５】
また、請求項５のエレベータ制御システムでは、従来のエレベータ制御システムに対し、電圧変化監視回路と、電流検出回路と、加減算回路とを追加し、チョッパ電流制御回路の動作、電圧指令回路の動作を一部変更するだけの簡単な変更を行わせるだけで、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２６】
また、請求項６のエレベータ制御システムでは、従来のエレベータ制御システムに対し、電圧変化監視回路と、電流検出回路と、電圧指令値リミット設定回路とを追加し、電圧制御回路の動作を一部変更するだけの簡単な変更を行わせるだけで、蓄電器を一時的に放電させたときの電圧値変化に基づき、蓄電器の蓄電量を算出し、蓄電器の蓄電量が小さいとき、放電動作を規制して、蓄電器の蓄電量を予め設定した値以上に保持し、停電などが発生したとき、蓄電器をバックアップ電源として使用することができる。
【００２７】
また、請求項７のエレベータ制御システムでは、従来のエレベータ制御システムに対し、電圧変化監視回路と、電流検出回路と、加減算回路と、温度検出回路とを追加し、チョッパ電流制御回路の動作、電圧指令回路の動作などを一部変更するだけの簡単な変更を行わせるだけで、蓄電器を一時的に放電させたときの電圧値変化に基づき、蓄電器の蓄電量を算出し、蓄電器の蓄電量が小さいとき、あるいは蓄電器の温度が異常になっているとき、放電動作を規制して、蓄電器の蓄電量を予め設定した値以上に保持させ、停電などが発生したとき、蓄電器をバックアップ電源として使用することができる。
【発明を実施するための最良の形態】
【００２８】
《第１の実施形態》
図１は本発明によるエレベータ制御システムの第１の実施形態を示すブロック図である。
【００２９】
この図に示すエレベータ制御システム１は、乗りかごの昇降を開始するとき、前回までの回生動作で得られた回生電力を適宜、併用しながら、建物内に引き込まれた商用電源２の三相電圧を電力変換して、指定された周波数、電圧値を持つ三相電圧を生成するとともに、この三相電圧を電動機４に供給して、乗りかごの昇降を開始し、電動機４を回生制動して、運動エネルギーを電気エネルギーに変換し、これを回収しながら、指定された階に乗りかごを停止するエレベータ駆動装置３と、乗りかご内に設けられた乗りかご内操作盤、各エレベータ乗り場に設けられた各呼び登録装置が操作されて、呼び情報が登録されたとき、前回までの回生動作で得られた回生電力をエレベータ駆動装置３に適宜、供給しながら、予め登録されている運転パターンなどに基づき、ＰＷＭ指示信号を生成して、エレベータ駆動装置３に電動機４を駆動し、回生指令を生成して、エレベータ駆動装置３に電動機４の回生制動を行わせるとともに、回生制動で得られる回生電力を取り込んで、蓄積するエレベータ制御装置５とを備えている。
【００３０】
そして、乗りかご内に設けられた乗りかご内操作盤、各エレベータ乗り場に設けられた各呼び登録装置が操作されて、呼び情報が登録されたとき、エレベータ制御装置５に、十分な蓄電量を確保しつつ、エレベータ制御装置５からエレベータ駆動装置３に適宜、前回までの回生動作で得られた回生電力を供給しながら、予め登録されている運転パターンなどに基づき、エレベータ駆動装置３から、指定された周波数、電圧値を持つ三相電圧を出力して電動機４に供給する。そして、乗りかごが目的階に近づいたとき、予め登録されている運転パターンなどに基づき、エレベータ駆動装置３に電動機４の回生制動を開始し、回生制動で得られる回生電力をエレベータ制御装置５に蓄積しながら、乗りかごを目的階に停止する。
【００３１】
エレベータ駆動装置３は、建物内に引き込まれた商用電源２から供給される三相電圧を整流して直流電圧を生成する整流回路６と、整流回路６から出力される直流電圧を平滑して、蓄積する直流コンデンサ７と、抵抗器８、スイッチング素子９、ダイオード１０などによって構成され、直流コンデンサ７に蓄積されている直流電圧をチョッピングして電圧値を調整する抵抗チョッパ回路１１と、エレベータ制御装置５からＰＷＭ指示信号が供給されているとき、抵抗チョッパ回路１１と協調して、直流コンデンサ７に蓄積されている直流電圧を指定された周波数、電圧値を持つ三相電圧に変換して、電動機４を駆動し、またエレベータ制御装置５から回生指令が供給されているとき、電動機４を回生動作して、回生電力を直流コンデンサ７に蓄積するインバータ回路１２とを備えており、建物内に引き込まれた商用電源２から出力される三相電圧を整流して、直流コンデンサ７に直流電圧を蓄積しながら、エレベータ制御装置５からＰＷＭ指示信号が供給されているとき、抵抗チョッパ回路１１と、インバータ回路１２と協調動作して、直流コンデンサ７に蓄積されている直流電圧を指定された周波数、電圧値を持つ三相電圧に変換して、電動機４を駆動する。また、エレベータ制御装置５から回生指令が供給されているとき、インバータ回路１２を動作して、電動機４を回生制動するとともに、回生動作で得られた回生電力を直流コンデンサ７に蓄積する。
【００３２】
エレベータ制御装置５は、回生電力を貯蔵する蓄電器１３と、蓄電器１３に対する充放電路となる昇圧用の直流リアクトル１４と、直流リアクトル１４に流れる直流電流を分流して検出用電流を出力する電流検出器１５と、電流検出器１５から出力される検出用電流の電流値を検出して電流値検出信号を出力する電流検出回路１６と、蓄電器１３の電圧を検出して蓄電電圧値検出信号を出力する蓄電器電圧検出回路１７と、蓄電器電圧検出回路１７から出力される蓄電電圧値検出信号の変化を監視し、蓄電器１３を放電している状態で、予め決定された電流量だけ、放電電流を一時的に増加したときに生じる、蓄電器１３の直流電圧変化に基づき、蓄電器１３に蓄積されている回生電力量を判定し、充電量検知信号を出力する電圧変化監視回路１８と、電圧変化監視回路１８から出力される充電量検知信号、電流検出回路１６から出力される電流値検出信号、予め設定されている設定電圧値などに基づき、蓄電器１３に蓄積されている回生電力が少ないときには、蓄電器１３の放電電流を小さくし、また蓄電器１３に蓄積されている回生電力が多いときには、蓄電器１３の放電電流を大きくするのに必要な電圧指令を出力する電圧指令回路１９と、エレベータ駆動装置３の直流コンデンサ７に蓄積されている直流電圧の電圧値を検出して、電圧値検出信号を出力する電圧検出回路２０と、電圧検出回路２０から出力される電圧値検出信号の値と電圧指令回路１９から出力される電圧指令の値との差を演算して、電圧差信号を出力する加減算回路２１とを備えている。
【００３３】
さらに、エレベータ制御装置５は、乗りかご内に設けられた乗りかご内操作盤、各エレベータ乗り場に設けられた各呼び登録装置が操作されて呼び情報が登録されたとき、予め登録されている運転パターンなどに応じたＰＷＭ指示信号を生成して、エレベータ駆動装置３の抵抗チョッパ回路１１、インバータ回路１２を動作させ、指定された周波数、電圧値を持つ三相電圧を生成するとともに、加減算回路２１から出力される電圧差信号の値を零にするのに必要な放電指令を出力しながら、放電量を一時的に増加する放電指令を周期的に出力し、また乗りかごが目的階に近づいたとき、充電指令を出力しながら、予め登録されている運転パターンなどに応じた回生指令を生成して、インバータ回路１２に回生動作を行わせ、乗りかご、電動機４などが持つ運動エネルギーを電力エネルギーに変換する電圧制御回路２２と、２つの自己消弧素子２３、２４、２つのダイオード２５、２６によって構成され、電圧制御回路２２から充電指令が出力されているとき、一方の自己消弧素子２３を導通して、直流コンデンサ７→自己消弧素子２３→直流リアクトル１４→蓄電器１３なる経路で、インバータ回路１２などによって回生された回生電圧を蓄電器１３に導いて、これを充電し、また電圧制御回路２２から放電指令が出力されているとき放電指令の値に応じた繰り返し周期、オン／オフ比で、他方の自己消弧素子２４を繰り返し、導通→非導通→導通→…して、蓄電器１３から直流リアクトル１４に断続電流を供給し、直流リアクトル１４に誘導起電圧を誘起しながら、直流リアクトル１４→ダイオード２５→直流コンデンサ７なる経路で、直流コンデンサ７に誘導起電圧を供給して、これを充電する充放電回路２７とを備えている。
【００３４】
そして、乗りかご内に設けられた乗りかご内操作盤、各エレベータ乗り場に設けられた各呼び登録装置が操作されて、呼び情報が登録されたとき、蓄電器１３に、十分な蓄電量を確保しつつ、エレベータ駆動装置３に適宜、前回までの回生動作で得られた回生電力を供給しながら、予め登録されている運転パターンなどに基づき、ＰＷＭ指示信号を出力して、エレベータ駆動装置３から、指定された周波数、電圧値を持つ三相電圧を出力し、電動機４に供給する。そして、乗りかごが目的階に近づいたとき、予め登録されている運転パターンなどに基づき、回生指令を出力して、エレベータ駆動装置３に電動機４の回生制動を開始するとともに、回生制動で得られる回生電力を取り込んで、蓄電器１３に蓄積しながら、乗りかごを目的階に停止する。
【００３５】
次に、図１に示す回路図、図２に示す模式図を参照しながら、エレベータ制御システム１の動作を説明する。
【００３６】
まず、乗りかご内に設けられた乗りかご内操作盤、各エレベータ乗り場に設けられた各呼び登録装置が操作されて、呼び情報が登録されると、エレベータ制御装置５の電圧制御回路２２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００３７】
また、この動作と並行し、エレベータ制御装置５の電圧制御回路２２によって、加減算回路２１から出力される電圧差信号に応じた放電指令が出力され、充放電回路２７に設けられた自己消弧素子２４が放電指令に応じた繰り返し周波数、オン／オフ比で、繰り返し、導通、非導通とされ、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【００３８】
また、エレベータ制御装置５の電圧制御回路２２から放電指令が出力されているとき、この電圧制御回路２２から図２の模式図に示す如く放電電流を一時的に、一定量だけ増加する放電指令が所定周期で出力されて、充放電回路２７の放電電流が一時的に増加されるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成されるとともに、電圧指令回路１９によって、電流検出回路１６から出力される電流値検出信号で示された放電電流の電流値と、電圧変化監視回路１８から出力される充電量検知信号で示された放電量とを一致するのに必要な電圧指令、すなわち通常の放電量を確保するのに必要な電圧指令が生成され、充放電回路２７から十分な電流値を持つ放電電流が出力され続けて、それ分だけ、商用電源２から供給される三相電圧の電流値が下げられる。
【００３９】
また、電圧制御回路２２によって、放電電流が一時的に、一定量だけ増加されたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成されるとともに、電圧指令回路１９によって、電流検出回路１６から出力される電流値検出信号で示された放電電流の電流値と、電圧変化監視回路１８から出力される充電量検知信号で示された放電量とを一致するのに必要な電圧指令、すなわち放電量を小さくするのに必要な電圧指令が生成され、充放電回路２７から出力される放電電流の電流量が下げられ、蓄電器１３に蓄積されている回生電力の消耗が防止される。
【００４０】
次いで、エレベータ制御装置５の電圧制御回路２２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止される。
【００４１】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置５の電圧制御回路２２によって、これが検知されて、充電指令が生成される。これにより、充放電回路２７の自己消弧素子２３が導通状態にされ、直流コンデンサ７→自己消弧素子２７→直流リアクトル１４→蓄電器１３なる経路で、蓄電器１３に直流電圧が供給され、蓄積される。また並行して抵抗チョッパ回路でも熱消費される。
【００４２】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置５の電圧制御回路２２からＰＷＭ指示信号とともに、放電指令が出力される。これにより、エレベータ制御装置５の充放電回路２７に設けられた自己消弧素子２４が繰り返し、導通、非導通とされて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２からから指定された周波数、電圧値を持つ三相交流電圧が出力され、乗りかごの救出運転が開始される。
【００４３】
このように、第１の実施形態では、商用電源２から出力される三相電圧とともに、エレベータ駆動装置５の蓄電器１３に蓄積されている、回生電力を使用しながら、エレベータ駆動装置３によって、電動機４を駆動している最中に、エレベータ制御装置５からエレベータ駆動装置３に供給される回生電力の電流値を一時的に増加したとき、蓄電器１３の電圧値低下率に基づき、蓄電器１３の回生電力蓄積状態を判定し、十分な回生電力が蓄積されていないとき、電圧指令回路１９から出力される電圧指令を制限して、エレベータ制御装置５の充放電回路２７からエレベータ駆動装置３の直流コンデンサ７に供給される回生電力の電流量を制限して、蓄電器１３に蓄積されている回生電力がそれ以上、消耗しないようにしているので、従来のエレベータ制御システムに対し、電圧変化監視回路１８、電圧検出回路を追加し、電圧制御回路２２の動作などを一部変更するだけの簡単な変更を行わせるだけで、蓄電器１３を一時的に放電させたときの電圧値変化に基づき、蓄電器１３の蓄電量を算出し、蓄電器１３の蓄電量が小さいとき、放電動作を規制して、蓄電器１３の蓄電量を予め設定した値以上に保持し、停電などが発生したとき、蓄電器１３をバックアップ電源として使用することができる。
【００４４】
《第２の実施形態》
図３は本発明によるエレベータ制御システムの第２の実施形態を示すブロック図である。なお、この図において、図１の各部と対応する部分には、同じ符号が付してある。
【００４５】
この図に示すエレベータ制御システム３１が図１に示すエレベータ制御システム１と異なる点は、電流量チェック機能を持たない電圧制御回路２２に代えて、電流量チェック機能を持つ電圧制御回路３２を設けるとともに、電流検出回路１６から出力される電流値検出信号で示された放電電流の電流値と、電圧変化監視回路１８から出力される充電量検知信号で示された放電量とを一致するのに必要な電圧指令を生成する電圧指令回路１９に代えて、回生電力蓄積量／電圧指令テーブルなどを用いて、電圧変化監視回路１８から出力される充電量検知信号で示された放電量から直接、電圧指令を生成する電圧指令回路３３を設け、さらに電流検出回路１６から出力される電流値検出信号を電圧制御回路３２に導き、電圧変化監視回路１８によって、蓄電器１３の回生電力蓄積量が低下していると判定されて、電圧指令回路３２から、放電電流の電流量を制限する電圧指令が出力されたとき、電圧制御回路３２によって、充放電回路２７の放電電流量を直接、チェックして、電圧指令で指定された電流値まで、放電電流の電流値を下げするようにしたことである。
【００４６】
次に、図３に示すブロック図を参照しながら、エレベータ制御システム３１の動作を説明する。
【００４７】
まず、乗りかご内に設けられた乗りかご内操作盤、各エレベータ乗り場に設けられた各呼び登録装置が操作されて、呼び情報が登録されると、エレベータ制御装置３３の電圧制御回路３２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００４８】
また、この動作と並行し、エレベータ制御装置３４の電圧制御回路３２によって、加減算回路２１から出力される電圧差信号に応じた放電指令が出力され、充放電回路２７に設けられた自己消弧素子２４が放電指令に応じた繰り返し周波数、オン／オフ比で、繰り返し、導通、非導通とされて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【００４９】
また、エレベータ制御装置３４の電圧制御回路３２から放電指令が出力されているとき、この電圧制御回路３２から放電電流を一時的に、一定量だけ増加する放電指令が所定周期で出力されて、充放電回路２７の放電電流が一時的に増加させられるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成されるとともに、電圧指令回路３３によって、回生電力蓄積量／電圧指令テーブルなどが使用されて、電圧変化監視回路１８から出力される充電量検知信号で示された回生電力蓄積量に対応する電圧指令、すなわち通常の放電量を確保するのに必要な電圧指令が生成され、充放電回路２７から十分な電流値を持つ放電電流が出力され続けて、それ分だけ、商用電源２から供給される三相電圧の電流値が下げられる。
【００５０】
また、電圧制御回路３２によって、放電電流が一時的に、一定量だけ増加させられたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成されるとともに、電圧指令回路３３によって、回生電力蓄積量／電圧指令テーブルなどが使用されて、電圧変化監視回路１８から出力される充電量検知信号で示された回生電力蓄積量に対応する電圧指令、すなわち放電量を小さくするのに必要な電圧指令が生成される。
【００５１】
これにより、電圧制御回路３２によって、加減算回路２１から出力される電圧差信号で示された電流値と、電流検出回路１６から出力される電流値検出信号で示された放電電流の電流値とが一致するまで、充放電回路２７から出力される放電電流の電流量が下げられ、蓄電器１３に蓄積されている回生電力の消耗が防止される。
【００５２】
次いで、エレベータ制御装置３４の電圧制御回路３２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止させられる。
【００５３】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置３４の電圧制御回路３２によって、これが検知されて、充電指令が生成される。これにより、充放電回路２７の自己消弧素子２３が導通状態にされ、直流コンデンサ７→自己消弧素子２３→直流リアクトル１４→蓄電器１３なる経路で、蓄電器１３に直流電圧が供給され、蓄積される。また並行して抵抗チョッパ回路でも熱消費される。
【００５４】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置３４の電圧制御回路３２からＰＷＭ指示信号とともに、放電指令が出力される。これにより、エレベータ制御装置３４の充放電回路２７に設けられた自己消弧素子２４が繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２から指定された周波数、電圧値を持つ三相交流電圧が出力され、乗りかごの救出運転が開始される。
【００５５】
このように、第２の実施形態では、商用電源２から出力される三相電圧とともに、エレベータ制御装置３４の蓄電器１３に蓄積されている、回生電力を使用させながら、エレベータ駆動装置３によって、電動機４を駆動している最中に、エレベータ制御装置３４からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令回路３３から出力される電圧指令を制限して、充放電回路２７から出力される放電電流の電流値をチェックしている電圧制御回路３２に電流値制限動作を行わせ、エレベータ制御装置３４の充放電回路２７からエレベータ駆動装置３の直流コンデンサ７に供給される回生電力の電流量を制限して、蓄電器１３に蓄積されている回生電力がそれ以上、消耗しないようにしているので、従来のエレベータ制御システムに対し、電圧変化監視回路１８と、電流検出回路１６とを追加させ、電圧制御回路３２の動作などを一部変更するだけの簡単な変更を行わせるだけで、蓄電器１３を一時的に放電させたときの電圧値変化に基づき、蓄電器１３の蓄電量を算出させ、蓄電器１３の蓄電量が小さいとき、放電動作を規制して、蓄電器１３の蓄電量を予め設定した値以上に保持させ、停電などが発生したとき、蓄電器１３をバックアップ電源として使用することができる。
【００５６】
《第３の実施形態》
図４は本発明によるエレベータ制御システムの第３の実施形態を示すブロック図である。なお、この図において、図１の各部と対応する部分には、同じ符号が付してある。
【００５７】
この図に示すエレベータ制御システム４１が図１に示すエレベータ制御システム１と異なる点は、電圧差信号を電圧指示信号として取り込み、充放電回路２７から出力される放電電流の電流値を制御する電圧制御回路２２と、電流検出回路１６から出力される電流値検出信号で示された放電電流の電流値と、電圧変化監視回路１８から出力される充電量検知信号で示された放電量とを一致するのに必要な電圧指令を生成する電圧指令回路１９とに代えて、電圧差信号を電流指示信号として取り込み、充放電回路２７から出力される放電電流の電流量を制御するチョッパ電流制御回路４２と、回生電力蓄積量／電圧指令テーブルなどを用いて、電圧変化監視回路１８から出力される充電量検知信号で示された放電量から直接、電圧指令を生成する電圧指令回路４３とを設けるとともに、電流検出回路１６から出力される電流値検出信号と、加減算回路２１から出力される電圧差信号との差を演算して、電圧差信号をチョッパ電流制御回路４２に供給する加減算回路４４を設け、この電圧差信号の値が零になるように、チョッパ電流制御回路４２に充放電回路２７を制御させ、放電電流の電流量を制御するようにしたことである。
【００５８】
次に、図４に示すブロック図を参照しながら、エレベータ制御システム４１の動作を説明する。
【００５９】
まず、乗りかご内に設けられた乗りかご内操作盤、各エレベータ乗り場に設けられた各呼び登録装置が操作されて、呼び情報が登録されると、エレベータ制御装置４５のチョッパ電流制御回路４２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００６０】
また、この動作と並行し、エレベータ制御装置４５のチョッパ電流制御回路４２によって、加減算回路４４から出力される電圧差信号に応じた放電指令が出力され、充放電回路２７に設けられた自己消弧素子２４が放電指令に応じた繰り返し周波数、オン／オフ比で、繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【００６１】
また、エレベータ制御装置４５のチョッパ電流制御回路４２から放電指令が出力されているとき、このチョッパ電流制御回路４２から放電電流を一時的に、一定量だけ増加する放電指令が所定周期で出力されて、充放電回路２７の放電電流が一時的に増加させられるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成されるとともに、電圧指令回路４３によって、回生電力蓄積量／電圧指令テーブルなどが使用されて、電圧変化監視回路１８から出力される充電量検知信号で示された回生電力蓄積量に対応する電圧指令、すなわち通常の放電量を確保するのに必要な電圧指令が生成される。
【００６２】
これにより、加減算回路２１から出力される電圧差信号と、電流検出回路１６から出力される電流値検出信号との差を演算している加減算回路４４から出力される電圧差信号がそのままの値に保持され、チョッパ電流制御回路４２によって、充放電回路２７から十分な電流値を持つ放電電流が出力され続けて、それ分だけ、商用電源２から供給される三相電圧の電流値が下げられる。
【００６３】
また、チョッパ電流制御回路４２によって、放電電流が一時的に、一定量だけ増加させられたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成されるとともに、電圧指令回路４３によって、回生電力蓄積量／電圧指令テーブルなどが使用されて、電圧変化監視回路１８から出力される充電量検知信号で示された回生電力蓄積量に対応する電圧指令、すなわち放電量を小さくするのに必要な電圧指令が出力され、加減算回路２１から出力される電圧差信号の値が制限される。
【００６４】
これにより、チョッパ電流制御回路４２によって、電流検出回路１６から出力される電流値検出信号の値が小さくなり、加減算回路４４から出力される電圧差信号の値が零になるように、充放電回路２７から出力される放電電流の電流量が下げられ、蓄電器１３に蓄積されている回生電力の消耗が防止される。
【００６５】
次いで、エレベータ制御装置４５のチョッパ電流制御回路４２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止させられる。
【００６６】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置４５のチョッパ電流制御回路４２によって、これが検知されて、充電指令が生成される。これにより、充放電回路２７の自己消弧素子２３が導通状態にされ、直流コンデンサ７→自己消弧素子２３→直流リアクトル１４→蓄電器１３なる経路で、蓄電器１３に直流電圧が供給され、蓄積される。また並行して抵抗チョッパ回路でも熱消費される。
【００６７】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置４５のチョッパ電流制御回路４２からＰＷＭ指示信号とともに、放電指令が出力される。これにより、エレベータ制御装置４５の充放電回路２７に設けられた自己消弧素子２４が繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２から指定された周波数、電圧値を持つ三相交流電圧が出力され、乗りかごの救出運転が開始される。
【００６８】
このように、第３の実施形態では、商用電源２から出力される三相電圧とともに、エレベータ駆動装置４５の蓄電器１３に蓄積されている、回生電力を使用させながら、エレベータ駆動装置３によって、電動機４を駆動している最中に、エレベータ制御装置４５からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令回路４３から出力される電圧指令を制限して、チョッパ電流制御回路４２に電流値制限動作を行わせ、エレベータ制御装置４５の充放電回路２７からエレベータ駆動装置３の直流コンデンサ７に供給される回生電力の電流量を制限して、蓄電器１３に蓄積されている回生電力がそれ以上、消耗しないようにしているので、従来のエレベータ制御システムに対し、電圧変化監視回路１８と、電流検出回路１６と、加減算回路４４とを追加させ、チョッパ電流制御回路４２の動作などを一部変更するだけの簡単な変更を行わせるだけで、蓄電器１３を一時的に放電させたときの電圧値変化に基づき、蓄電器１３の蓄電量を算出させ、蓄電器１３の蓄電量が小さいとき、放電動作を規制して、蓄電器１３の蓄電量を予め設定した値以上に保持させ、停電などが発生したとき、蓄電器１３をバックアップ電源として使用することができる。
【００６９】
《第４の実施形態》
図５は本発明によるエレベータ制御システムの第４の実施形態を示すブロック図である。なお、この図において、図１の各部と対応する部分には、同じ符号が付してある。
【００７０】
この図に示すエレベータ制御システム５１が図１に示すエレベータ制御システム１と異なる点は、電圧差信号を電圧指示信号として取り込み、充放電回路２７から出力される放電電流の電流値を制御する電圧制御回路２２と、電流検出回路１６から出力される電流値検出信号で示された放電電流の電流値と、電圧変化監視回路１８から出力される充電量検知信号で示された放電量とを一致するのに必要な電圧指令を生成する電圧指令回路１９とに代えて、電圧差信号を電流指示信号として取り込み、電圧変化監視回路１８から出力される充電量検知信号に基づき、充放電回路２７から出力される放電電流の電流量を制御するチョッパ電流制御回路５２と、設定された指令値の電圧指令を生成する電圧指令回路５３とを設けるとともに、電流検出回路１６から出力される電流値検出信号と、加減算回路２１から出力される電圧差信号との差を演算して、電圧差信号をチョッパ電流制御回路５２に供給する加減算回路５４を設け、電圧変化監視回路１８から出力される充電量検知信号をチョッパ電流制御回路５２に直接、入力して、蓄電器１３に十分な回生電力が蓄積されていないとき、チョッパ電流制御回路５２によって、加減算回路５４から出力される電圧差信号を制限して、充放電回路２７から出力される放電電流の電流値を制限するようにしたことである。
【００７１】
次に、図５に示すブロック図を参照しながら、エレベータ制御システム５１の動作を説明する。
【００７２】
まず、乗りかご内に設けられた乗りかご内操作盤、各エレベータ乗り場に設けられた各呼び登録装置が操作されて、呼び情報が登録されると、エレベータ制御装置５５のチョッパ電流制御回路５２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００７３】
また、この動作と並行し、エレベータ制御装置５５のチョッパ電流制御回路５２によって、電圧変化監視回路１８から出力される充電量検知信号、加減算回路５４から出力される電圧差信号に応じた放電指令が出力され、充放電回路２７に設けられた自己消弧素子２４が放電指令に応じた繰り返し周波数、オン／オフ比で、繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【００７４】
また、エレベータ制御装置５５のチョッパ電流制御回路５２から放電指令が出力されているとき、このチョッパ電流制御回路５２から放電電流を一時的に、一定量だけ増加する放電指令が所定周期で出力されて、充放電回路２７の放電電流が一時的に増加させられるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成される。
【００７５】
これにより、チョッパ電流制御回路５２によって、加減算回路５４から出力される電圧差信号で示された電流値を上限とする放電指令が出力されて、充放電回路２７から十分な電流値を持つ放電電流が出力され続け、それ分だけ、商用電源２から供給される三相電圧の電流値が下げられる。
【００７６】
また、チョッパ電流制御回路５２によって、放電電流が一時的に、一定量だけ増加させられたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成される。
【００７７】
これにより、チョッパ電流制御回路５２によって、加減算回路５４から出力される電圧差信号で示された電流値を大幅に下回る値を上限とする放電指令が出力されて、充放電回路２７から出力される放電電流の電流量が下げられ、蓄電器１３に蓄積されている回生電力の消耗が防止される。
【００７８】
次いで、エレベータ制御装置５５のチョッパ電流制御回路５２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止させられる。
【００７９】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置５５のチョッパ電流制御回路５２によって、これが検知されて、充電指令が生成される。これにより、充放電回路２７の自己消弧素子２３が導通状態にされ、直流コンデンサ７→自己消弧素子２３→直流リアクトル１４→蓄電器１３なる経路で、蓄電器１３に直流電圧が供給され、蓄積される。また並行して抵抗チョッパ回路でも熱消費される。
【００８０】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置５５のチョッパ電流制御回路５２からＰＷＭ指示信号とともに、放電指令が出力される。これにより、エレベータ制御装置５５の充放電回路２７に設けられた自己消弧素子２４が繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２から指定された周波数、電圧値を持つ三相交流電圧が出力され、乗りかごの救出運転が開始される。
【００８１】
このように、第４の実施形態では、商用電源２から出力される三相電圧とともに、エレベータ制御装置５５の蓄電器１３に蓄積されている、回生電力を使用させながら、エレベータ駆動装置３によって、電動機４を駆動している最中に、エレベータ制御装置５５からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令回路５３から出力される電圧指令を変更することなく、チョッパ電流制御回路５２に電流値制限動作を行わせ、エレベータ制御装置５５の充放電回路２７からエレベータ駆動装置３の直流コンデンサ７に供給される放電電流の電流量を制限させ、蓄電器１３に蓄積されている回生電力がそれ以上、消耗しないようにしているので、従来のエレベータ制御システムに対し、電圧変化監視回路１８と、電流検出回路１６と、加減算回路５４とを追加させ、チョッパ電流制御回路５２の動作、電圧指令回路５３の動作を一部変更するだけの簡単な変更を行わせるだけで、蓄電器１３を一時的に放電させたときの電圧値変化に基づき、蓄電器１３の蓄電量を算出させ、蓄電器１３の蓄電量が小さいとき、放電動作を規制して、蓄電器１３の蓄電量を予め設定した値以上に保持させ、停電などが発生したとき、蓄電器１３をバックアップ電源として使用することができる。
【００８２】
《第５の実施形態》
図６は本発明によるエレベータ制御システムの第５の実施形態を示すブロック図である。なお、この図において、図１の各部と対応する部分には、同じ符号が付してある。
【００８３】
この図に示すエレベータ制御システム６１が図１に示すエレベータ制御システム１と異なる点は、電流検出回路１６から出力される電流値検出信号で示された放電電流の電流値と、電圧変化監視回路１８から出力される充電量検知信号で示された放電量とを一致するのに必要な電圧指令を生成する電圧指令回路１９に代えて、予め設定されている値を持つ電圧指令を生成する電圧指令回路６２を設けるとともに、電圧変化監視回路１８から出力される充電量検知信号と、電流検出回路１６から出力される電流値検出信号とに応じて、加減算回路２１から出力される電圧差信号の値を制限する電圧指令値リミット設定回路６３を設け、蓄電器１３に十分な回生電力が蓄積されていないとき、電圧変化監視回路１８から放電電流の電流値を下げする充電量検知信号を出力して、電圧指令値リミット設定回路６３に電圧差信号の値を制限させ、電圧制御回路２２によって、充放電回路２７から出力される放電電圧の電流値を制限するようにしたことである。
【００８４】
次に、図６に示すブロック図を参照しながら、エレベータ制御システム６１の動作を説明する。
【００８５】
まず、乗りかご内に設けられた乗りかご内操作盤、各エレベータ乗り場に設けられた各呼び登録装置が操作されて、呼び情報が登録されると、エレベータ制御装置６４の電圧制御回路２２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００８６】
また、この動作と並行し、エレベータ制御装置６４の電圧制御回路２２によって、電圧指令回路６２から出力される電圧指令に応じた放電指令が出力され、充放電回路２７に設けられた自己消弧素子２４が放電指令に応じた繰り返し周波数、オン／オフ比で、繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【００８７】
また、エレベータ制御装置６４の電圧制御回路２２から放電指令が出力されているとき、この電圧制御回路２２から放電電流を一時的に、一定量だけ増加する放電指令が所定周期で出力されて、充放電回路２７の放電電流が一時的に増加させられるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成される。
【００８８】
そして、電圧指令値リミット設定回路６３によって、加減算回路２１から出力される電圧差信号がリミットされることなく、電圧制御回路２２に供給されて、電圧制御回２２路から十分な電流値を確保するのに必要な放電指令が出力され続ける。これにより、充放電回路２７から十分な電流値を持つ放電電流が出力され続け、それ分だけ、商用電源２から供給される三相電圧の電流値が下げられる。
【００８９】
また、電圧制御回路２２によって、放電電流が一時的に、一定量だけ増加させられたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成される。
【００９０】
そして、電圧指令値リミット設定回路６３によって、電流値検出回路１６から出力される電流値検出信号の値を小さくするように、加減算回路２１から出力される電圧差信号がリミットされて、電圧制御回路２２から電流値を小さくするのに必要な放電指令が出力される。これにより、充放電回路２７から出力される放電電流の電流量が下げられ、蓄電器１３に蓄積されている回生電力の消耗が防止される。
【００９１】
次いで、エレベータ制御装置６４の電圧制御回路２２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止させられる。
【００９２】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置６４の電圧制御回路２２によって、これが検知されて、充電指令が生成される。これにより、充放電回路２７の自己消弧素子２３が導通状態にされ、直流コンデンサ７→自己消弧素子２３→直流リアクトル１４→蓄電器１３なる経路で、蓄電器１３に直流電圧が供給され、蓄積される。また並行して抵抗チョッパ回路でも熱消費される。
【００９３】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置６４の電圧制御回路２２からＰＷＭ指示信号とともに、放電指令が出力される。これにより、エレベータ制御装置６４の充放電回路２７に設けられた自己消弧素子２４が繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２から指定された周波数、電圧値を持つ三相交流電圧が出力され、乗りかごの救出運転が開始される。
【００９４】
このように、第５の実施形態では、商用電源２から出力される三相電圧とともに、エレベータ制御装置６４の蓄電器１３に蓄積されている、回生電力を使用させながら、エレベータ駆動装置３によって、電動機４を駆動している最中に、エレベータ制御装置６４からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令値リミット設定回路６３によって、電圧差信号をリミットして、電圧制御回路２２に電流値制限動作を行わせ、エレベータ制御装置６４の充放電回路２７からエレベータ駆動装置３の直流コンデンサ７に供給される放電電流の電流量を制限して、蓄電器１３に蓄積されている回生電力がそれ以上、消耗しないようにしているので、従来のエレベータ制御システムに対し、電圧変化監視回路１８と、電流検出回路１６と、電圧指令値リミット設定回路６３とを追加させ、電圧制御回路２２の動作、電圧指令回路６２の動作を一部変更するだけの簡単な変更を行わせるだけで、蓄電器１３を一時的に放電させたときの電圧値変化に基づき、蓄電器１３の蓄電量を算出させ、蓄電器１３の蓄電量が小さいとき、放電動作を規制して、蓄電器１３の蓄電量を予め設定した値以上に保持させ、停電などが発生したとき、蓄電器１３をバックアップ電源として使用することができる。
【００９５】
《第６の実施形態》
図７は本発明によるエレベータ制御システムの第６の実施形態を示すブロック図である。なお、この図において、図１の各部と対応する部分には、同じ符号が付してある。
【００９６】
この図に示すエレベータ制御システム７１が図１に示すエレベータ制御システム１と異なる点は、電圧差信号を電圧指示信号として取り込み、充放電回路２７から出力される放電電流の電流値を制御する電圧制御回路２２と、電流検出回路１６から出力される電流値検出信号で示された放電電流の電流値と、電圧変化監視回路１８から出力される充電量検知信号で示された放電量とを一致するのに必要な電圧指令を生成する電圧指令回路１９とに代えて、電圧差信号を電流指示信号として取り込み、充放電回路２７から出力される放電電流の電流量を制御するチョッパ電流制御回路７２と、蓄電器１３の温度監視機能を持ち、回生電力蓄積量／電圧指令テーブルなどを用いて、電圧変化監視回路１８から出力される充電量検知信号で示された放電量から直接、電圧指令を生成する電圧指令回路７３とを設けるとともに、電流検出回路１６から出力される電流値検出信号と、加減算回路２１から出力される電圧差信号との差を演算して、電圧差信号をチョッパ電流制御回路７２に供給する加減算回路７４と、蓄電器１３の温度を計測する温度計７５と、温度計７５の計測結果に基づき、蓄電器１３の温度が正常かどうかを判定し、異常と判定したとき、温度異常検出信号を出力して、電圧指令回路７３から出力される電圧指令を制限する温度検出回路７６とを設け、蓄電器１３に十分な回生電力が蓄積してないときのみならず、蓄電器１３の温度が異常になったときにも、チョッパ電流制御回路７２によって、充放電回路２７から出力される放電電流の電流量を制限するようにしたことである。
【００９７】
次に、図７に示すブロック図を参照しながら、エレベータ制御システム７１の動作を説明する。
【００９８】
まず、乗りかご内に設けられた乗りかご内操作盤、各エレベータ乗り場に設けられた各呼び登録装置が操作されて、呼び情報が登録されると、エレベータ制御装置７７のチョッパ電流制御回路７２によって、予め登録されている運転パターンなどに応じたＰＷＭ指示信号が生成されて、エレベータ駆動装置３のインバータ回路１２から指定された周波数、電圧値を持つ三相電圧が出力され、電動機４の駆動が開始される。
【００９９】
また、この動作と並行し、エレベータ制御装置７７のチョッパ電流制御回路７２によって、加減算回路７４から出力される電圧差信号に応じた放電指令が出力され、充放電回路２７に設けられた自己消弧素子２４が放電指令に応じた繰り返し周波数、オン／オフ比で、繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、直流コンデンサ７の直流電圧値が高められ、整流回路６から出力される直流電圧の電流値が下げられる。
【０１００】
また、エレベータ制御装置７７のチョッパ電流制御回路７２から放電指令が出力されているとき、このチョッパ電流制御回路７２から放電電流を一時的に、一定量だけ増加する放電指令が所定周期で出力されて、充放電回路２７の放電電流が一時的に増加させられるとともに、電圧変化監視回路１８によって、蓄電器電圧検出回路１７から出力される蓄電電圧値検出信号の変化率がチェックされ、蓄電電圧値検出信号の変化率が小さいとき、蓄電器１３に十分な回生電力が蓄積されていると判定されて、十分な放電量を確保するのに必要な充電量検知信号が生成されるとともに、電圧指令回路７３によって、回生電力蓄積量／電圧指令テーブルなどが使用されて、電圧変化監視回路１８から出力される充電量検知信号で示された回生電力蓄積量（放電可能な電流量）に対応する電圧指令、すなわち通常の放電量を確保するのに必要な電圧指令が生成される。
【０１０１】
これにより、加減算回路２１から出力される電圧差信号と、電流検出回路１６から出力される電流値検出信号との差を演算している加減算回路７４から出力される電圧差信号がそのままの値に保持され、チョッパ電流制御回路７２によって、充放電回路２７から十分な電流値を持つ放電電流が出力され続けて、それ分だけ、商用電源２から供給される三相電圧の電流値が下げられる。
【０１０２】
また、チョッパ電流制御回路７２によって、放電電流が一時的に、一定量だけ増加させられたとき、蓄電器電圧検出回路１７から出力される蓄電電圧値検出信号の変化率が大きければ、電圧変化監視回路１８によって、蓄電器１３に十分な回生電力が蓄積されていないと判定されて、放電量を小さくするのに必要な充電量検知信号が生成され、電圧指令回路７３から、充電量検知信号で示される放電量と対応する電圧指令、すなわち放電量を小さくするのに必要な電圧指令が出力される。
【０１０３】
これにより、加減算回路２１から出力される電圧差信号と、電流検出回路１６から出力される電流値検出信号との差を演算している加減算回路７４から出力される電圧差信号の値が制限されて、チョッパ電流制御回路７２によって、充放電回路２７から出力される電電流の電流量が下げられ、蓄電器１３に蓄積されている回生電力の消耗が防止される。
【０１０４】
次いで、エレベータ制御装置７７のチョッパ電流制御回路７２によって、予め登録されている運転パターンなどに応じた回生指令が生成されるとともに、エレベータ駆動装置３のインバータ回路１２によって、回生動作が開始され、乗りかご、電動機４などが持つ運動エネルギーが電力エネルギーに変換されて、直流コンデンサ７に蓄積されながら、乗りかごが減速、停止させられる。
【０１０５】
また、この動作と並行し、回生動作で得られた回生電力により、エレベータ駆動装置３の直流コンデンサ７に蓄積されている直流電圧の電圧値が整流回路６から出力される直流電圧の電圧値より高くなり、抵抗チョッパ回路１１の動作電圧に近づくと、エレベータ制御装置７７のチョッパ電流制御回路７２によって、これが検知されて、充電指令が生成される。これにより、充放電回路２７の自己消弧素子２３が導通状態にされ、直流コンデンサ７→自己消弧素子２３→直流リアクトル１４→蓄電器１３なる経路で、蓄電器１３に直流電圧が供給され、蓄積される。また並行して抵抗チョッパ回路でも熱消費される。
【０１０６】
また、上述した乗りかごの運転中に、商用電源２から三相電圧が供給されなくなり、直流コンデンサ７に蓄えられている直流電圧の電圧値が低下した状態で、乗りかごの運転継続指示が出されたとき、エレベータ制御装置７７のチョッパ電流制御回路７２からＰＷＭ指示信号とともに、放電指令が出力される。これにより、エレベータ制御装置７７の充放電回路２７に設けられた自己消弧素子２４が繰り返し、導通、非導通させられて、蓄電器１３から直流リアクトル１４に断続電流が供給されるとともに、直流リアクトル１４に誘起された誘導起電圧が直流リアクトル１４→ダイオード２５→直流コンデンサ７なる経路で、直流コンデンサ７に供給されて、インバータ回路１２から指定された周波数、電圧値を持つ三相交流電圧が出力され、乗りかごの救出運転が開始される。
【０１０７】
また、上述した乗りかごの運転中に、蓄電器１３の温度が異常に上昇したとき、温度検出回路７６によって、これが検出されて、温度異常検出信号が生成され、電圧指令回路７３に供給される。
【０１０８】
これにより、電圧指令回路７３によって、電圧指令の値が制限されて、加減算回路７４から出力される電圧差信号の値に基づき、放電電流の調整を行っているチョッパ電流制御回路７２によって、充放電回路２７の動作が停止させられ、蓄電器１３に蓄積されている回生電力の消耗が防止される。
【０１０９】
このように、第６の実施形態では、商用電源２から出力される三相電圧とともに、エレベータ制御装置７７の蓄電器１３に蓄積されている、回生電力を使用させながら、エレベータ駆動装置３によって、電動機４を駆動している最中に、エレベータ制御装置７７からエレベータ駆動装置３に供給される回生電力の電流値を一時的に増加させたとき、蓄電器１３の電圧値低下率に基づき、蓄電器１３の回生電力蓄積状態を判定させ、十分な回生電力が蓄積されていないとき、電圧指令回路７３から出力される電圧指令を制限して、チョッパ電流制御回路７２に電流値制限動作を行わせ、エレベータ制御装置７７の充放電回路２７からエレベータ駆動装置３の直流コンデンサ７に供給される放電電流の電流量を制限して、蓄電器１３に蓄積されている回生電力がそれ以上、消耗しないようにするとともに、蓄電器１３の温度が異常になったときにも、チョッパ電流制御回路７２に電流値制限動作を行わせ、エレベータ制御装置７７の充放電回路２７からエレベータ駆動装置３の直流コンデンサ７に供給される放電電流の電流量を制限して、蓄電器１３に蓄積されている回生電力がそれ以上、消耗しないようにするようにしている。
【０１１０】
これにより、従来のエレベータ制御システムに対し、電圧変化監視回路１８と、電流検出回路１６と、加減算回路７４と、温度検出回路７６とを追加させ、チョッパ電流制御回路７２の動作、電圧指令回路７３の動作などを一部変更するだけの簡単な変更を行わせるだけで、蓄電器１３を一時的に放電させたときの電圧値変化に基づき、蓄電器１３の蓄電量を算出させ、蓄電器１３の蓄電量が小さいとき、あるいは蓄電器１３の温度が異常になっているとき、放電動作を規制して、蓄電器１３の蓄電量を予め設定した値以上に保持させ、停電などが発生したとき、蓄電器１３をバックアップ電源として使用することができる。
【図面の簡単な説明】
【０１１１】
【図１】本発明によるエレベータ制御システムの第１の実施形態を示すブロック図である。
【図２】図１に示すエレベータ制御システムで使用される蓄電器の放電特性例を示すグラフである。
【図３】本発明によるエレベータ制御システムの第２の実施形態を示すブロック図である。
【図４】本発明によるエレベータ制御システムの第３の実施形態を示すブロック図である。
【図５】本発明によるエレベータ制御システムの第４の実施形態を示すブロック図である。
【図６】本発明によるエレベータ制御システムの第５の実施形態を示すブロック図である。
【図７】本発明によるエレベータ制御システムの第６の実施形態を示すブロック図である。
【図８】従来から知られているエレベータ制御システムの一例を示すブロック図である。
【符号の説明】
【０１１２】
１、３１、４１、５１、６１、７１…エレベータ制御システム
２…商用電源
３…エレベータ駆動装置
４…電動機
５、３４、４５、５５、６４、７７…エレベータ制御装置
６…整流回路
７…直流コンデンサ
８…抵抗器
９…スイッチング素子
１０…ダイオード
１１…抵抗チョッパ回路
１２…インバータ回路
１３…蓄電器
１４…直流リアクトル
１５…電流検出器
１６…電流検出回路
１７…蓄電器電圧検出回路
１８…電圧変化監視回路
１９、３３、４３、５３、６２、７３…電圧指令回路
２０…電圧検出回路
２１、４４、５４、７４…加減算回路
２２、３２…電圧制御回路
２３、２４…自己消弧素子
２５、２６…ダイオード
２７…充放電回路
４２、５２、７２…チョッパ電流制御回路
６３…電圧指令値リミット設定回路
７５…温度計
７６…温度検出回路
【図１】
2006044887.tif 000003
【図２】
2006044887.tif 000004
【図３】
2006044887.tif 000005
【図４】
2006044887.tif 000006
【図５】
2006044887.tif 000007
【図６】
2006044887.tif 000008
【図７】
2006044887.tif 000009
【図８】
2006044887.tif 000010